(57)【要約】      （修正有）【課題】あいうえおを基準に五段階に分類して簡単にタッチするだけですべての文字が見られるようにして、入力時間を短縮させるとともにミスタイピングの発生率を最小化できるように、大きい画面と便利性を有するオールインワン方式による情報通信機器の文字入力装置を提供する。【解決手段】オールインワン方式による情報通信機器の文字入力装置は、メイン画面１０を各画面に切り替えられる日本語および中国語キーボードで該当文字を入力できるだけでなく、一つの画面内で画面を切り替えることなく指定された該当固有マッチング番号を数字板を利用して日本語および中国語文字を同時入力できるため、文字を入力する時のタッチ回数を最小化させて入力時間を短縮させるとともに、ミスタイピングの発生率を最小化させることができ、文字板を見なくても数字だけを覚えて文字を入力できる便利性を有する。【選択図】図１
2020068018.tif 000002
【特許請求の範囲】
【請求項１】
日本語キーボードを表示して日本語を入力できるメイン画面において、
前記メイン画面は、タッチできる文字板、数字板、ＢＳ（Ｂａｃｋ  Ｓｐａｃｅ）キー、Ｅｎｔｅｒキー、ピリオドキー、ｓｅｔキー、ＳＢ（Ｓｐａｃｅ  Ｂａｒ）キーおよびドラッグできる中国語キーを含み、
前記文字板は前記メイン画面で数字板の上から下方向に５個の列ごとに横側に５個の段が区画されるように構成されるものであって、
右側端の縦側の５個の段には、上から下方向に母音のあ、い、う、え、おを基準に、独立した段ごとに英語のアルファベットａ／、ｉ／、ｕ／、ｅ／、ｏ／段が表示されながら、独立した段ごとに指定された該当固有マッチング番号が表示されるように分散配列された第１〜第５画面切り替えキーが構成され、
前記第１〜第５画面切り替えキーが構成された段を除いた残りの１列〜５列までの段には、前記第１〜第５画面切り替えキーをそれぞれタッチする時に画面が切り替えられながら、ａ／、ｉ／、ｕ／、ｅ／、ｏ／段に該当する日本語の母音であるあ、い、う、え、おの文字ごとに分散配列されて独立した段を形成しながら、それぞれ独立した段ごとに指定された該当固有マッチング番号が表示された多数の第１設定入力キーがそれぞれ構成されたことを特徴とする、オールインワン方式による情報通信機器の文字入力装置。
【請求項２】
前記第１画面切り替えキー側の文字板に対して、独立した各段ごとに１列には「あ／ア、か／カ、が／ガ、な／ナ、ａ／」、２列には「さ／サ、ざ／ザ、た／タ、だ／ダ、ｉ／」、３列には「は／ハ、ば／バ、ぱ／パ、ま／マ、ｕ／」、４列には「や／ヤ、ら／ラ、わ／ワ、ゎ／ヮ、ｅ／」、５列には「ぁ／ァ、さようなら、Ｊａｐａｎ、日本、ｏ／」からなる文字が分散配列される入力キーを構成したことを特徴とする、請求項１に記載のオールインワン方式による情報通信機器の文字入力装置。
【請求項３】
前記第２画面切り替えキー側の文字板に対して、独立した各段ごとに１列には「い／イ、き／キ、ぎ／ギ、に／ニ、ａ／」、２列には「し／シ、じ／ジ、ち／チ、ぢ／ヂ、ｉ／」、３列には「ひ／ヒ、び／ビ、ぴ／ピ、み／ミ、ｕ／」、４列には「長音（−）、り／リ、ゐ／ヰ、ん／ン、ｅ／」、５列には「ぃ／ィ、ゃ／ャ、ゅ／ュ、ょ／ョ、ｏ／」からなる文字が分散配列される入力キーを構成したことを特徴とする、請求項１に記載のオールインワン方式による情報通信機器の文字入力装置。
【請求項４】
前記第３画面切り替えキー側の文字板に対して、独立した各段ごとに１列には「う／ウ、く／ク、ぐ／グ、ぬ／ヌ、ａ／」、２列には「す／ス、ず／ズ、つ／ツ、づ／ヅ、ｉ／」、３列には「ふ／フ、ぶ／ブ、ぷ／プ、む／ム、ｕ／」、４列には「ゆ／ユ、る／ル、／ヴ、っ／ッ、ｅ／」、５列には「ぅ／ゥ、入力、入力、入力、ｏ／」からなる文字が分散配列される入力キーを構成したことを特徴とする、請求項１に記載のオールインワン方式による情報通信機器の文字入力装置。
【請求項５】
前記第４画面切り替えキー側の文字板に対して、独立した各段ごとに１列には「え／エ、け／ケ、げ／ゲ、ね／ネ、ａ／」、２列には「せ／セ、ぜ／ゼ、て／テ、で／デ、ｉ／」、３列には「へ／ヘ、べ／ベ、ぺ／ペ、め／メ、ｕ／」、４列には「入力、れ／レ、ゑ／ヱ、入力、ｅ／」、５列には「ぇ／ェ、入力、入力、入力、ｏ／」からなる文字が分散配列される入力キーを構成したことを特徴とする、請求項１に記載のオールインワン方式による情報通信機器の文字入力装置。
【請求項６】
前記第５画面切り替えキー側の文字板に対して、独立した各段ごとに１列には「お／オ、こ／コ、ご／ゴ、の／ノ、ａ／」、２列には「そ／ソ、ぞ／ゾ、と／ト、ど／ド、ｉ／」、３列には「ほ／ホ、ぽ／ボ、ぽ／ポ、も／モ、ｕ／」、４列には「よ／ヨ、ろ／ロ、を／ヲ、入力、ｅ／」、５列には「ぉ／ォ、入力、入力、入力、ｏ／」からなる文字が分散配列される入力キーを構成したことを特徴とする、請求項１に記載のオールインワン方式による情報通信機器の文字入力装置。
【請求項７】
前記中国語キーは、前記メイン画面で端の左側に構成されて右側にドラッグしたり指定された該当固有マッチング番号を数字板で数字をタッチすると、中国語キーボードを使用できる画面に切り替えられながらタッチできる文字板、数字板、ＢＳ（Ｂａｃｋ  Ｓｐａｃｅ）キー、Ｅｎｔｅｒキー、ピリオドキー、ｓｅｔキー、声調表示キー、ＳＢ（Ｓｐａｃｅ  Ｂａｒ）キー、ＰＹＣキーおよびドラッグできる 一番先へキーを含み、
前記文字板は数字板の上から下方向に５個の列ごとに横側に５個の段が区画されるように構成されるものであって、
独立した各段ごとに、１列には「ｂ／ａ、ｐ／ｏ、ｍ／ｅ、ｙ／ｉ、ｗ／ｕ」、２列には「ｄ／ａｉ、ｔ／ａｏ、ｎ／ｅｉ、ｌ／ｏｕ、ｆ／ａｎ」、３列には「ｇ／ｉａ、ｋ／ｕｏ、ｈ／ｉｅ、ｚ／ｕａ、／ｉｎ」、４列には「ｊ／ａｎｇ、ｑ／ｏｎｇ、ｘ／ｅｎｇ、ｃ／ｉｎｇ、／ｅｎ」、５列には「
2020068018.tif 000019
、
2020068018.tif 000020
、ｓｈ／ｅｒ、ｓ／、
2020068018.tif 000021
」からなる文字が分散配列される入力キーを構成したことを特徴とする、請求項１に記載のオールインワン方式による情報通信機器の文字入力装置。
【請求項８】
前記第１〜第５画面切り替えキー側の文字板の独立した入力キーごとに、文字を挟んで指定された該当固有マッチング番号の左側の上付き文字と右側の下付き文字が重複しないように構成され、
前記左側の上付き文字と右側の下付き文字は同じ番号で指定しつつ、右側の下付き文字の後に「−」を表示して番号を区分するように構成されたことを特徴とする、請求項１〜請求項７に記載のオールインワン方式による情報通信機器の文字入力装置。
【請求項９】
前記第１〜第５画面切り替えキーの画面に該当する多数の第１設定入力キーに対して、第４列と第５列の一部の段には小文字表示、外国語「カタカナ」表示、長音表示、拗音表示、「Ｖ」の英語発音表示、促音表示時に使われる多数の第２設定入力キーがそれぞれ構成されたことを特徴とする、請求項１〜請求項７に記載のオールインワン方式による情報通信機器の文字入力装置。
【請求項１０】
前記第１〜第５画面切り替えキーの画面に該当する多数の第１設定入力キーの中から選択された第４列と第５列の一部の段には、ユーザーが適切な単語や文章を入力した後に必要に応じて呼び出して使われる多数の第３設定入力キーがそれぞれ構成されたことを特徴とする、請求項１〜請求項７に記載のオールインワン方式による情報通信機器の文字入力装置。
【請求項１１】
前記第３設定入力キーを一度タッチするか指定された該当固有マッチング番号を数字板で数字をタッチすると、
ユーザーが適切な単語や文章を入力できる入力ウインドウが表示され、
前記入力ウインドウの一側には言語を選択できる言語選択キーが表示され、
前記入力ウインドウの他側には入力ウインドウに入力された単語や文章を取り消しまたは保存後に呼び出して使用できる取り消しキーと保存キーが表示されるように構成されたことを特徴とする、請求項１０に記載のオールインワン方式による情報通信機器の文字入力装置。
【請求項１２】
前記文字板で端の一側には、
一度タッチするたびにカーソルが後ろに一つずつ移動して文字を一つずつ消したり、押したままでいれば連続的に移動して文字を連続的に消すことができるＢＳキーと、
現在にカーソルがある位置でタッチすると改行が行われるようにＥｎｔｅｒキーと、
一度タッチするたびにカーソルが一つずつ右側に移動したり押したままでいれば押すことを中止するまでカーソルが移動するようにＳＢキーと、
タッチしたり指定された該当固有マッチング番号を数字板で数字をタッチすると、基本セッティングを調整できる設定画面を表示するようにｓｅｔキーが分散構成されたことを特徴とする、請求項１に記載のオールインワン方式による情報通信機器の文字入力装置。
【請求項１３】
前記文字板で端の一側には、各段ごとに１声、２声、３声、４声をそれぞれ入力できるように、→、
2020068018.tif 000022
、ｖ、
2020068018.tif 000023
順に記号が構成された声調表示キーを含むことを特徴とする、請求項７に記載のオールインワン方式による情報通信機器の文字入力装置。
【請求項１４】
前記文字板で端の一側には、ピンインアルファベットを漢字に変換せずピンインの発音そのまま相手に伝達する機能でタッチできるように構成されたＰＹＣキーを含むことを特徴とする、請求項７に記載のオールインワン方式による情報通信機器の文字入力装置。
【請求項１５】
前記文字板で端の一側には、左にドラッグしたり指定された該当固有マッチング番号を数字板で数字をタッチすると、日本語キーボードを実行できるメイン画面に戻るように構成された 一番先へキーを含むことを特徴とする、請求項７に記載のオールインワン方式による情報通信機器の文字入力装置。
【発明の詳細な説明】
【技術分野】
【０００１】
本発明はオールインワン方式による情報通信機器の文字入力装置に関し、さらに詳細には、スマートフォン、タッチスクリーン、タブレット、ＰＤＡなどの携帯用情報通信機器で、日本語および中国語はもちろん記号を含む文字を一つの画面で入力できるオールインワン方式による情報通信機器の文字入力装置に関する。
【背景技術】
【０００２】
最近ではソフトウェアと半導体技術および情報処理技術の発達により情報機器がますます小型化しており、特にスマートフォン、ＰＤＡ、タブレットなどの小型化された情報機器での文字入力に対する重要度が日増しに高くなる趨勢にある。
【０００３】
前記スマートフォン、ＰＤＡ、タブレットなどの情報機器は小型化によって制限された入力キーを具備しており、これらはタッチ画面でソフトウェアで具現されたキーパッドを使っている。
【０００４】
現在使用中の日本語キーボードは、クワーティ式を基盤として英文字を利用して入力する方式とグーグル入力方式などがある。
【０００５】
このような日本語は五十音図に従っているが、ひらがなとカタカナを合わせると１００字を越える。これに合わせてキーボードを作ろうとすると、スマートフォンやタブレットの画面が文字で一杯となり使用が非常に不便である。
【０００６】
すなわち、日本語キーボード入力装置は、その大きさを減少させることに限界があり、キーボード上での入力キーの配置が困難であり、入力キーを何度も押さなければならないため入力速度が遅く、ミスタイピングが多いため不便であるという問題点があった。
【０００７】
本発明の入力方式は、英語ではなくひらがなとカタカナを利用して日本語の文字と発音を基準にキーボードの文字を配列することによって、より分かりやすく理解して入力するように作られたものである。また、このキーボードは日本語だけでなく中国語も入力できるように具現された。
【０００８】
現在使用中の中国語キーボードには、中国大陸で使っている漢語ピンイン方式と五筆字型方式、台湾および香港などで使っている注音符号方式、倉頡方式などがある。
【０００９】
ここに適用されている中国語キーボードはピンイン方式を基準に作られたものであり、クワーティ式配列ではない中国語のピンインアルファベットを基準に作られたものである。ピンインの構成である韻母と声母のみで文字板を作り、覚えやすくかつタッチしやすいようにした。
【００１０】
クワーティ式は両手の指を使う方式であるため、１個や２個の指しか使わないスマートフォンではキーボードの形も変わらなければならない。
【先行技術文献】
【特許文献】
【００１１】
【特許文献１】韓国登録特許第１０−１４２６６４３号（名称：日本語入力装置）
【発明の概要】
【発明が解決しようとする課題】
【００１２】
本発明の目的は、既存の諸問題点を勘案してこれを解決するために提案されたものであって、あいうえおを基準に五段階に分類して簡単にタッチするだけですべての文字が見られるようにして、入力時間を短縮させるとともにミスタイピングの発生率を最小化できるように、大きい画面と便利性を有するオールインワン方式による情報通信機器の文字入力装置を提供するところにある。
【課題を解決するための手段】
【００１３】
前記技術的課題を解決するための本発明の実施例に係るオールインワン方式による情報通信機器の文字入力装置は、日本語キーボードを表示して日本語を入力できるメイン画面において、前記メイン画面は、タッチできる文字板、数字板、ＢＳ（Ｂａｃｋ  Ｓｐａｃｅ）キー、Ｅｎｔｅｒキー、ピリオドキー、ｓｅｔキー、ＳＢ（Ｓｐａｃｅ  Ｂａｒ）キーおよびドラッグできる中国語キーを含み、前記文字板は前記メイン画面で数字板の上から下方向に５個の列ごとに横側に５個の段が区画されるように構成されるものであって、右側端の縦側の５個の段には、上から下方向に母音のあ、い、う、え、おを基準に、独立した段ごとに英語のアルファベットａ／、ｉ／、ｕ／、ｅ／、ｏ／段が表示されながら、独立した段ごとに指定された該当固有マッチング番号が表示されるように分散配列された第１〜第５画面切り替えキーが構成され、前記第１〜第５画面切り替えキーが構成された段を除いた残りの１列〜５列までの段には、前記第１〜第５画面切り替えキーをそれぞれタッチする時に画面が切り替えられながら、ａ／、ｉ／、ｕ／、ｅ／、ｏ／段に該当する日本語の母音であるあ、い、う、え、おの文字ごとに分散配列されて独立した段を形成しながら、それぞれ独立した段ごとに指定された該当固有マッチング番号が表示された多数の第１設定入力キーがそれぞれ構成されたことを特徴とする。
【００１４】
他の実施例として、本発明の第１画面切り替えキー側の文字板に対して、独立した各段ごとに１列には「あ／ア、か／カ、が／ガ、な／ナ、ａ／」、２列には「さ／サ、ざ／ザ、た／タ、だ／ダ、ｉ／」、３列には「は／ハ、ば／バ、ぱ／パ、ま／マ、ｕ／」、４列には「や／ヤ、ら／ラ、わ／ワ、ゎ／ヮ、ｅ／」、５列には「ぁ／ァ、さようなら、Ｊａｐａｎ、日本、ｏ／」からなる文字が分散配列される入力キーを構成したことを特徴とする。
【００１５】
他の実施例として、本発明の第２画面切り替えキー側の文字板に対して、独立した各段ごとに１列には「い／イ、き／キ、ぎ／ギ、に／ニ、ａ／」、２列には「し／シ、じ／ジ、ち／チ、ぢ／ヂ、ｉ／」、３列には「ひ／ヒ、び／ビ、ぴ／ピ、み／ミ、ｕ／」、４列には「長音（−）、り／リ、ゐ／ヰ、ん／ン、ｅ／」、５列には「ぃ／ィ、ゃ／ャ、ゅ／ュ、ょ／ョ、ｏ／」からなる文字が分散配列される入力キーを構成したことを特徴とする。
【００１６】
他の実施例として、本発明の第３画面切り替えキー側の文字板に対して、独立した各段ごとに１列には「う／ウ、く／ク、ぐ／グ、ぬ／ヌ、ａ／」、２列には「す／ス、ず／ズ、つ／ツ、づ／ヅ、ｉ／」、３列には「ふ／フ、ぶ／ブ、ぷ／プ、む／ム、ｕ／」、４列には「ゆ／ユ、る／ル、／ヴ、っ／ッ、ｅ／」、５列には「ぅ／ゥ、入力、入力、入力、ｏ／」からなる文字が分散配列される入力キーを構成したことを特徴とする。
【００１７】
他の実施例として、本発明の第４画面切り替えキー側の文字板に対して、独立した各段ごとに１列には「え／エ、け／ケ、げ／ゲ、ね／ネ、ａ／」、２列には「せ／セ、ぜ／ゼ、て／テ、で／デ、ｉ／」、３列には「へ／ヘ、べ／ベ、ぺ／ペ、め／メ、ｕ／」、４列には「入力、れ／レ、ゑ／ヱ、入力、ｅ／」、５列には「ぇ／ェ、入力、入力、入力、ｏ／」からなる文字が分散配列される入力キーを構成したことを特徴とする。
【００１８】
他の実施例として、本発明の第５画面切り替えキー側の文字板に対して、独立した各段ごとに１列には「お／オ、こ／コ、ご／ゴ、の／ノ、ａ／」、２列には「そ／ソ、ぞ／ゾ、と／ト、ど／ド、ｉ／」、３列には「ほ／ホ、ぽ／ボ、ぽ／ポ、も／モ、ｕ／」、４列には「よ／ヨ、ろ／ロ、を／ヲ、入力、ｅ／」、５列には「ぉ／ォ、入力、入力、入力、ｏ／」からなる文字が分散配列される入力キーを構成したことを特徴とする。
【００１９】
他の実施例として、本発明の中国語キーは、前記メイン画面で端の左側に構成されて右側にドラッグしたり指定された該当固有マッチング番号を数字板で数字をタッチすると、中国語キーボードを使用できる画面に切り替えられながらタッチできる文字板、数字板、ＢＳ（Ｂａｃｋ  Ｓｐａｃｅ）キー、Ｅｎｔｅｒキー、ピリオドキー、ｓｅｔキー、声調表示キー、ＳＢ（Ｓｐａｃｅ  Ｂａｒ）キー、ＰＹＣ（ＰＩＮＹＩＮ  Ｃｏｍｍｕｎｉｃａｔｉｏｎ：ピンイン疎通）キーおよびドラッグできる 一番先へキーを含み、前記文字板は数字板の上から下方向に５個の列ごとに横側に５個の段が区画されるように構成されるものであって、独立した各段ごとに、１列には「ｂ／ａ、ｐ／ｏ、ｍ／ｅ、ｙ／ｉ、ｗ／ｕ」、２列には「ｄ／ａｉ、ｔ／ａｏ、ｎ／ｅｉ、ｌ／ｏｕ、ｆ／ａｎ」、３列には「ｇ／ｉａ、ｋ／ｕｏ、ｈ／ｉｅ、ｚ／ｕａ、／ｉｎ」、４列には「ｊ／ａｎｇ、ｑ／ｏｎｇ、ｘ／ｅｎｇ、ｃ／ｉｎｇ、／ｅｎ」、５列には「
2020068018.tif 000003
、
2020068018.tif 000004
、ｓｈ／ｅｒ、ｓ／、
2020068018.tif 000005
」からなる文字が分散配列される入力キーを構成したことを特徴とする。
【００２０】
他の実施例として、本発明の第１〜第５画面切り替えキー側の文字板の独立した入力キーごとに、文字を挟んで指定された該当固有マッチング番号の左側の上付き文字と右側の下付き文字が重複しないように構成され、これら左側の上付き文字と右側の下付き文字は同じ番号で指定しつつ、右側の下付き文字の後に「−」を表示して番号を区分するように構成されたことを特徴とする。
【００２１】
他の実施例として、本発明の第１〜第５画面切り替えキーの画面に該当する多数の第１設定入力キーに対して、第４列と第５列の一部の段には小文字表示、外国語「カタカナ」表示、長音表示、拗音表示、「Ｖ」の英語発音表示、促音表示時に使われる多数の第２設定入力キーがそれぞれ構成されたことを特徴とする。
【００２２】
他の実施例として、本発明の第１〜第５画面切り替えキーの画面に該当する多数の第１設定入力キーの中から選択された第４列と第５列の一部の段には、ユーザーが適切な単語や文章を入力した後に必要に応じて呼び出して使われる多数の第３設定入力キーがそれぞれ構成されたことを特徴とする。
【００２３】
他の実施例として、本発明の第３設定入力キーを一度タッチするか指定された該当固有マッチング番号を数字板で数字をタッチすると、ユーザーが適切な単語や文章を入力できる入力ウインドウが表示され、前記入力ウインドウの一側には言語を選択できる言語選択キーが表示され、前記入力ウインドウの他側には入力ウインドウに入力された単語や文章を取り消しまたは保存後に呼び出して使用できる取り消しキーと保存キーが表示されるように構成されたことを特徴とする。
【００２４】
他の実施例として、本発明の文字板で端の一側には、一度タッチするたびにカーソルが後ろに一つずつ移動して文字を一つずつ消したり、押したままでいれば連続的に移動して文字を連続的に消すことができるＢＳキーと、現在にカーソルがある位置でタッチすると改行が行われるようにするＥｎｔｅｒキーと、一度タッチするたびにカーソルが一つずつ右側に移動したり押したままでいれば押すことを中止するまでカーソルが移動するようにするＳＢキーと、タッチしたり指定された該当固有マッチング番号を数字板で数字をタッチすると、基本セッティングを調整できる設定画面を表示するようにするｓｅｔキーが分散構成されたことを特徴とする。
【００２５】
他の実施例として、本発明の文字板で端の一側には、各段ごとに１声、２声、３声、４声をそれぞれ入力できるように、→、
2020068018.tif 000006
、ｖ、
2020068018.tif 000007
順に記号が構成された声調表示キーを含むことを特徴とする。
【００２６】
他の実施例として、本発明の文字板で端の一側には、ピンインアルファベットを漢字に変換せずピンインの発音そのまま相手に伝達する機能でタッチできるように構成されたＰＹＣキーを含むことを特徴とする。
【００２７】
他の実施例として、本発明の文字板で端の一側には、左にドラッグしたり指定された該当固有マッチング番号を数字板で数字をタッチすると、日本語キーボードを実行できるメイン画面に戻るように構成された 一番先へキーを含むことを特徴とする。
【発明の効果】
【００２８】
本発明のオールインワン方式による情報通信機器の文字入力装置は、各画面に切り替えられる日本語および中国語キーボードで該当文字を入力できるだけでなく、一つの画面内で画面を切り替えることなく日本語および中国語の文字を、指定された該当固有マッチング番号により数字板を利用して同時入力できるため、文字を入力する時にタッチ回数を最小化させて入力時間を短縮させるとともに、ミスタイピングの発生率を最小化させることができ、数字を使って文字を入力できるため小さい画面においても文字板なしに数字板だけを使って文字を送受信できる便利性を有する。
【図面の簡単な説明】
【００２９】
【図１】日本語キーボードの実行時に開かれるメイン画面であって、ａ／段を説明するための図面。
【図２】図１の文字板において第２設定入力キーをタッチすると、文字や単語を入力できる入力ウィンドウを示した図面。
【図３】図１の文字板において第２画面切り替えキーをタッチする場合、画面が切り替えられたｉ／段を説明するための図面。
【図４】図１の文字板において第３画面切り替えキーをタッチする場合、画面が切り替えられたｕ／段を説明するための図面。
【図５】図１の文字板において第４画面切り替えキーをタッチする場合、画面が切り替えられたｅ／段を説明するための図面。
【図６】図１の文字板において第５画面切り替えキーをタッチする場合、画面が切り替えられたｏ／段を説明するための図面。
【図７】図１で中国語キーをドラッグする場合、開かれる中国語キーボード画面を示した図面。
【発明を実施するための形態】
【００３０】
本発明を十分に理解するために本発明の好ましい実施例を添付図面を参照して説明する。本発明の実施例は多様な形態に変形され得、本発明の範囲は下記で詳細に説明する実施例に限定されるものと解釈されてはならない。本実施例は当業界で平均的な知識を有する者に本発明をより完全に説明するために提供されるものである。したがって図面での要素の形状などは、より明確な説明を強調するために誇張されて表現され得る。各図面において同じ構成については同じ参照符号を付している。本発明の要旨を不要に曖昧にさせる恐れがあると判断される公知の機能および構成に対する詳細な技術は省略される。
【００３１】
以下、本発明の実施例について添付図面の図１〜図７を参照して詳細に説明する。
【００３２】
本発明のオールインワン方式による情報通信機器の文字入力装置は、あ、い、う、え、おを基準に残りの音をそれぞれａ／段（あ）、ｉ／段（い）、ｕ／段（う）、ｅ／段（え）、ｏ／段（お）に分散配列して一つの画面ごとにそれぞれ表れるように構成される。
【００３３】
図１は日本語キーボード１２ａの実行時に開かれるメイン画面１０であって、タッチできる文字板１２、数字板１４、ＢＳ（Ｂａｃｋ  Ｓｐａｃｅ）キー１６、Ｅｎｔｅｒキー１８、ピリオドキー２０、ｓｅｔキー２２、ＳＢ（Ｓｐａｃｅ  Ｂａｒ）キー２４およびドラッグできる中国語キー２６を含んで構成される。
【００３４】
すなわち、前記日本語キーボード１２ａを表示する文字板１２は、前記メイン画面１０で数字板１４の上から下方向に５個の列ごとに横側に５個の段が長方形の形状に区画されるように構成されるものであって、右側端の縦側の５個の段には、上から下方向に母音のあ、い、う、え、おを基準に、独立した段ごとに英語のアルファベットａ／、ｉ／、ｕ／、ｅ／、ｏ／段が表示されながら、独立した段ごとに指定された該当固有マッチング番号が表示されるように分散配列された第１〜第５画面切り替えキー３０、４０、５０、６０、７０が構成され、前記第１〜第５画面切り替えキー３０、４０、５０、６０、７０が構成された段を除いた残りの１列〜５列までの段には、前記第１〜第５画面切り替えキー３０、４０、５０、６０、７０をそれぞれタッチする時に画面が切り替えられながら、ａ／、ｉ／、ｕ／、ｅ／、ｏ／段に該当する日本語の母音であるあ、い、う、え、おの文字ごとに分散配列されて独立した段を形成しながら、それぞれ独立した段ごとに指定された該当固有マッチング番号が表示された多数の第１設定入力キー３２、４２、５２、６２、７２がそれぞれ構成されている。
【００３５】
この時、前記第１画面切り替えキー３０を一度タッチするか指定された該当固有マッチング番号５１を数字板１４でタッチすると、図１の図面のように、文字板１２に分散配列された母音あ段（ａ／段）の文字の第１設定入力キー３２と数字板１４、ＢＳ（Ｂａｃｋ  Ｓｐａｃｅ）キー１６、Ｅｎｔｅｒキー１８、ピリオドキー２０、ｓｅｔキー２２、ＳＢ（Ｓｐａｃｅ  Ｂａｒ）キー２４および中国語キー２６が一つの画面に表示されるように構成されている。
【００３６】
すなわち、前記第１画面切り替えキー３０側の文字板１２に対して独立した各段ごとに、１列には「あ／ア、か／カ、が／ガ、な／ナ、ａ／」、２列には「さ／サ、ざ／ザ、た／タ、だ／ダ、ｉ／」、３列には「は／ハ、ば／バ、ぱ／パ、ま／マ、ｕ／」、４列には「や／ヤ、ら／ラ、わ／ワ、ゎ／ヮ、ｅ／」、５列には「ぁ／ァ、さようなら、Ｊａｐａｎ、日本、ｏ／」からなる文字が分散配列される入力キーを構成し、これら入力キーごとに、文字を挟んで指定された該当固有マッチング番号の左側の上付き文字と右側の下付き文字が重複しないように構成され、これら左側の上付き文字と右側の下付き文字は同じ番号で指定しつつ、右側の下付き文字の後に「−」を表示して番号を区分するように構成されている。
【００３７】
前記第２画面切り替えキー４０を一度タッチするか指定された該当固有マッチング番号５２を数字板１４でタッチすると、図３の図面のように、文字板１２に分散配列された母音い段（ｉ／段）の文字の第１設定入力キー３２と数字板１４、ＢＳ（Ｂａｃｋ  Ｓｐａｃｅ）キー１６、Ｅｎｔｅｒキー１８、ピリオドキー２０、ｓｅｔキー２２、ＳＢ（Ｓｐａｃｅ  Ｂａｒ）キー２４および中国語キー２６が一つの画面に表示されるように構成されている。
【００３８】
すなわち、前記第２画面切り替えキー４０側の文字板１２に対して独立した各段ごとに、１列には「い／イ、き／キ、ぎ／ギ、に／ニ、ａ／」、２列には「し／シ、じ／ジ、ち／チ、ぢ／ヂ、ｉ／」、３列には「ひ／ヒ、び／ビ、ぴ／ピ、み／ミ、ｕ／」、４列には「長音（−）、り／リ、ゐ／ヰ、ん／ン、ｅ／」、５列には「ぃ／ィ、ゃ／ャ、ゅ／ュ、ょ／ョ、ｏ／」からなる文字が分散配列される入力キーを構成し、これら入力キーごとに、文字を挟んで指定された該当固有マッチング番号の左側の上付き文字と右側の下付き文字が重複しないように構成され、これら左側の上付き文字と右側の下付き文字は同じ番号で指定しつつ、右側の下付き文字の後に「−」を表示して番号を区分するように構成されている。
【００３９】
前記第３画面切り替えキー５０を一度タッチするか指定された該当固有マッチング番号５３を数字板１４でタッチすると、図４の図面のように、文字板１２に分散配列された母音う段（ｕ／段）の文字の第１設定入力キー３２と数字板１４、ＢＳ（Ｂａｃｋ  Ｓｐａｃｅ）キー１６、Ｅｎｔｅｒキー１８、ピリオドキー２０、ｓｅｔキー２２、ＳＢ（Ｓｐａｃｅ  Ｂａｒ）キー２４および中国語キー２６が一つの画面に表示されるように構成されている。
【００４０】
すなわち、前記第３画面切り替えキー５０側の文字板１２に対して独立した各段ごとに、１列には「う／ウ、く／ク、ぐ／グ、ぬ／ヌ、ａ／」、２列には「す／ス、ず／ズ、つ／ツ、づ／ヅ、ｉ／」、３列には「ふ／フ、ぶ／ブ、ぷ／プ、む／ム、ｕ／」、４列には「ゆ／ユ、る／ル、／ヴ、っ／ッ、ｅ／」、５列には「ぅ／ゥ、入力、入力、入力、ｏ／」からなる文字が分散配列される入力キーを構成し、これら入力キーごとに、文字を挟んで指定された該当固有マッチング番号の左側の上付き文字と右側の下付き文字が重複しないように構成され、これら左側の上付き文字と右側の下付き文字は同じ番号で指定しつつ、右側の下付き文字の後に「−」を表示して番号を区分するように構成されている。
【００４１】
前記第４画面切り替えキー６０を一度タッチするか指定された該当固有マッチング番号５４を数字板１４でタッチすると、図５の図面のように、文字板１２に分散配列された母音え段（ｅ／段）の文字の第１設定入力キー３２と数字板１４、ＢＳ（Ｂａｃｋ  Ｓｐａｃｅ）キー１６、Ｅｎｔｅｒキー１８、ピリオドキー２０、ｓｅｔキー２２、ＳＢ（Ｓｐａｃｅ  Ｂａｒ）キー２４および中国語キー２６が一つの画面に表示されるように構成されている。
【００４２】
すなわち、前記第４画面切り替えキー６０側の文字板１２に対して独立した各段ごとに、１列には「え／エ、け／ケ、げ／ゲ、ね／ネ、ａ／」、２列には「せ／セ、ぜ／ゼ、て／テ、で／デ、ｉ／」、３列には「へ／ヘ、べ／ベ、ぺ／ペ、め／メ、ｕ／」、４列には「入力、れ／レ、ゑ／ヱ、入力、ｅ／」、５列には「ぇ／ェ、入力、入力、入力、ｏ／」からなる文字が分散配列される入力キーを構成し、これら入力キーごとに、文字を挟んで指定された該当固有マッチング番号の左側の上付き文字と右側の下付き文字が重複しないように構成され、これら左側の上付き文字と右側の下付き文字は同じ番号で指定しつつ、右側の下付き文字の後に「−」を表示して番号を区分するように構成されている。
【００４３】
前記第５画面切り替えキー７０を一度タッチするか指定された該当固有マッチング番号５５を数字板１４でタッチすると、図６の図面のように文字板１２に分散配列された母音お段（ｏ／段）の文字の第１設定入力キー３２と数字板１４、ＢＳ（Ｂａｃｋ  Ｓｐａｃｅ）キー１６、Ｅｎｔｅｒキー１８、ピリオドキー２０、ｓｅｔキー２２、ＳＢ（Ｓｐａｃｅ  Ｂａｒ）キー２４および中国語キー２６が一つの画面に表示されるように構成されている。
【００４４】
すなわち、前記第５画面切り替えキー７０側の文字板１２に対して独立した各段ごとに、１列には「お／オ、こ／コ、ご／ゴ、の／ノ、ａ／」、２列には「そ／ソ、ぞ／ゾ、と／ト、ど／ド、ｉ／」、３列には「ほ／ホ、ぽ／ボ、ぽ／ポ、も／モ、ｕ／」、４列には「よ／ヨ、ろ／ロ、を／ヲ、入力、ｅ／」、５列には「ぉ／ォ、入力、入力、入力、ｏ／」からなる文字が分散配列される入力キーを構成し、これら入力キーごとに、文字を挟んで指定された該当固有マッチング番号の左側の上付き文字と右側の下付き文字が重複しないように構成され、これら左側の上付き文字と右側の下付き文字は同じ番号で指定しつつ、右側の下付き文字の後に「−」を表示して番号を区分するように構成されている。
【００４５】
前記第１〜第５画面切り替えキー３０、４０、５０、６０、７０の画面に該当する多数の第１設定入力キー３２、４２、５２、６２、７２に対して、第４列と第５列の一部の段には小文字表示、外国語「カタカナ」表示、長音表示、拗音表示、「Ｖ」の英語発音表示、促音表示時に使われる多数の第２設定入力キー８０がそれぞれ構成されている。
【００４６】
前記第１〜第５画面切り替えキー３０、４０、５０、６０、７０の画面に該当する多数の第１設定入力キー３２、４２、５２、６２、７２の中で選択された第４列と第５列の一部の段には、ユーザーが適切な単語や文章を入力した後に必要に応じて呼び出して使われる多数の第３設定入力キー９０がそれぞれ構成されている。
【００４７】
この時、前記第３設定入力キー９０を一度タッチするか指定された該当固有マッチング番号を数字板１４で数字をタッチすると、図２の図面のように、ユーザーが適切な単語や文章を入力できる入力ウインドウ９２が表示され、前記入力ウインドウ９２の一側には言語を選択できる言語選択キー９４が表示され、前記入力ウインドウ９２の他側には入力ウインドウ９２に入力された単語や文章を取り消しまたは保存後に呼び出して使用できる取り消しキー９６と保存キー９８が表示されるように構成されている。
【００４８】
前記数字板１４は前記メイン画面１０で文字板１２の下部の列に構成されるものであって、通常は算術で使われる「０、１、２、３、４、５、６、７、８、９」までの１０個の数字がそれぞれ独立した入力キーで構成される。
【００４９】
前記ＢＳキー１６は前記数字板１４において左側端に構成されるものであって、一度タッチするか指定された該当固有マッチング番号１６を数字板１４でタッチするたびにカーソルが後ろに一つずつ移動し、もし文字があれば一つずつ消すことになり、押したままでいれば連続的に移動しながら文字を連続的に消すことになる。
【００５０】
前記Ｅｎｔｅｒキー１８は、前記数字板１４で左側端に対して前記ＢＳキー１６の下部に構成されるものであって、現在にカーソルがある位置でタッチしたり指定された該当固有マッチング番号１７を数字板１４で数字をタッチすると、改行となる。
【００５１】
前記ｓｅｔキー２２は、前記数字板１４で右側端に構成されるものであって、タッチしたり指定された該当固有マッチング番号５６を数字板１４でタッチすると、基本セッティングを調整できる設定画面が表示される。
【００５２】
前記ＳＢキー２４は、前記数字板１４で右側端に対してｓｅｔキー２２の下部に構成されるものであって、一度タッチするか指定された該当固有マッチング番号５７を数字板１４でタッチするたびにカーソルが一つ右側に移動し、押したままでいれば押すことを中止するまでカーソルが移動する。
【００５３】
前記中国語キー２６は、前記メイン画面１０で端の左側に構成されるものであって、メイン画面１０で右側にドラッグしたり指定された該当固有マッチング番号２６を数字板１４で数字をタッチすると、図７の図面のように、中国語キーボード１２ｂを使用できる画面に切り替えられながらタッチできる文字板１２、数字板１４、ＢＳ（Ｂａｃｋ  Ｓｐａｃｅ）キー１６、Ｅｎｔｅｒキー１８、ピリオドキー２０、ｓｅｔキー２２、声調表示キー２３、ＳＢ（Ｓｐａｃｅ  Ｂａｒ）キー２４、ＰＹＣキー２５およびドラッグできる「 一番先へ」キー２８（固有マッチング番号０３、日本語 (一番先へ）を含んで構成される。
【００５４】
すなわち、前記中国語キーボード１２ｂを表示する文字板１２は、数字板１４の上から下方向に５個の列ごとに、横側に５個の段が長方形の形状に区画されるように構成されるものであって、各段ごとに漢語ピンイン方式の文字が表示されながら、独立した段ごとに指定された該当固有マッチング番号が表示されるように構成されている。
【００５５】
ここで、漢語ピンイン方式は中国語の発音を英語のアルファベットの音でもって表記したものであって、中国語の子音と言える声母の構成原理に沿って文字板１２が配列されるように構成した。
【００５６】
すなわち、前記文字板１２は前記数字板１４の上から下方向に、５個の列ごとに横側に５個の段が長方形の形状に区画されるように構成されるものであって、独立した各段ごとに、１列には「ｂ／ａ、ｐ／ｏ、ｍ／ｅ、ｙ／ｉ、ｗ／ｕ」、２列には「ｄ／ａｉ、ｔ／ａｏ、ｎ／ｅｉ、ｌ／ｏｕ、ｆ／ａｎ」、３列には「ｇ／ｉａ、ｋ／ｕｏ、ｈ／ｉｅ、ｚ／ｕａ、／ｉｎ」、４列には「ｊ／ａｎｇ、ｑ／ｏｎｇ、ｘ／ｅｎｇ、ｃ／ｉｎｇ、／ｅｎ」、５列には「
2020068018.tif 000008
、
2020068018.tif 000009
、ｓｈ／ｅｒ、ｓ／、
2020068018.tif 000010
」からなる文字が分散配列される入力キーを構成し、これら入力キーごとに、文字を挟んで指定された該当固有マッチング番号の左側の上付き文字と右側の下付き文字が重複しないように構成され、これら左側の上付き文字と右側の下付き文字は同じ番号で指定しつつ、右側の下付き文字の後に「−」を表示して番号を区分するように構成されている。
【００５７】
ここで、唇音（両唇音）ｂ  ｐ  ｍ、脣歯音ｆ、舌尖音ｄ  ｔ  ｎ  ｌ、舌根音ｇ  ｋ  ｈ、舌面音ｊ  ｑ  ｘ、巻舌音ｚｈ  ｃｈ  ｓｈ  ｒ、舌歯音ｚ  ｃ  ｓ、韻母ｉ  ｓが真っ先に出る時に代わりに使用するｙ  ｕ、以上２３字を字板として選択したし、声母分類法に沿って類推したり覚えやすく文字板１２を配置して、時間が経てば文字板１２を見ずとも数字だけを覚えて文字を入力できるように構成した。
【００５８】
中国語の母音と言える韻母も、韻母分類法に沿って、最初の声が強く発音される複韻母ａｉ  ｅｉ  ａｏ  ｏｕ、後の声が強く発音される複韻母ｉａ  ｉｅ  ｕａ  ｕｏ
2020068018.tif 000011
ｅ、中の声が強く発音される三合韻母ｉａｏ  ｉｏｕ  ｕａｉ  ｕｅｉ、単韻母ａ  ｏ  ｅ  ｉ  ｕ  
2020068018.tif 000012
、鼻韻母ａｎ  ｅｎ  ｉｎ  
2020068018.tif 000013
ｎ  ｉａｎ  ｕａｎ  ｕｅｎ       
2020068018.tif 000014
ａｎ  ａｎｇ  ｉｎｇ  ｏｎｇ  ｅｎｇ  ｕａｎｇ  ｕｅｎｇ、巻舌韻母ｅｒ、以上の韻母のうち三合韻母と鼻韻母ｉａｎ  ｕａｎ  ｕｅｎ     
2020068018.tif 000015
ａｎ  ｕａｎｇ  ｕｅｎｇは、ピンインキーボード内の単韻母と複韻母の組み合わせで入力できるようにして２４字に整理した後、字板内の（−）段に韻母別に適切に配置して図７の図面のようなピンイン用中国語キーボード１２ｂを構成した。
【００５９】
ここで、「
2020068018.tif 000016
」は「ｖ」に代替して使ってもよい。
【００６０】
教材で習う声母、韻母を各韻母の特性別に分類することによってそれぞれの位置を覚えやすくし、キーボーディングの打数を減らして中国人だけでなく外国人も接近が容易となるようにしたし、略式の入力に慣れている中国人も容易に操作できるように構成した。
【００６１】
「図７」の前記ピリオドキー２０は前記数字板１４で左側端に対して前記Ｅｎｔｅｒキー１８の下部に構成されるものであって、分別書きのない中国語において文章が一緒となったり単語を羅列する時に、ａ、ｏ、ｅの単韻母が複韻母に見えることを区別するために、短く押せばコンマ、長く押せばピリオドが入力されるように、前後にコンマとピリオドを含んで構成される。
【００６２】
前記声調表示キー２３は前記文字板１２と数字板１４の間側の列に対して、前記ＰＹＣキー２５の後方に３個の段で構成されたものであって、各段ごとに１声、２声、３声、４声をそれぞれ入力できるように、→、
2020068018.tif 000017
、ｖ、
2020068018.tif 000018
順に記号が構成されている。
【００６３】
前記ＰＹＣキー２５は前記文字板１２と数字板１４の間側の列に対して、前記ＰＹＣキー２５の前面に１個の段で構成されたものであって、漢字を分からない外国人のためのピンインアルファベットを漢字に変換せずに、ピンインの発音そのまま相手に伝達する機能として活用されるようにタッチできる構成となっている。
【００６４】
前記 一番先へキー２８は前記中国語キーボード１２ｂで右側端に構成されるものであって、左にドラッグしたり指定された該当固有マッチング番号０３を数字板１４でタッチすると、図１の図面のように、日本語キーボード１２ａを実行できるメイン画面１０に戻るように構成されている。
【００６５】
前記日本語キーボード１２ａと中国語キーボード１２ｂの画面には、数字板１４を除いた文字板１２の各段ごとに、互いに重複しない指定された該当固有マッチング番号が構成され、互いに重複されるＢＳ（Ｂａｃｋ  Ｓｐａｃｅ）キー１６、Ｅｎｔｅｒキー１８、ｓｅｔキー２２、ＳＢ（Ｓｐａｃｅ  Ｂａｒ）キー２４には同様に指定された該当固有マッチング番号が構成されている。
【００６６】
この時、前記日本語キーボード１２ａと中国語キーボード１２ｂの画面で入力キーごとに指定された該当固有マッチング番号は、左側の場合は上付き文字で表示され、右側の場合は下付き文字で表示される。このように構成されたオールインワン方式による情報通信機器の文字入力装置は、日本語キーボード１２ａと中国語キーボード１２ｂの画面に切り替えて直接該当文字をタッチする方法、各画面別の文字に該当する添え字を押す方法、各画面別の入力しようとする入力キーに該当する固有マッチング番号を数字板１４で長く押す方法の三つによって入力することができる。
【００６７】
すなわち、直接該当文字をタッチする方法は例えば、「あ」は「あ／ア」を短くタッチし、「ア」は「あ／ア」を長くタッチする。
【００６８】
文字に該当する添え字をタッチする方法は例えば、「あ」は数字板１４で「あ／ア」の左側の上付き文字「１１」に従って「１」を二度タッチし、「ア」は右側の下付き文字「１１−」に従って最初の「１」は短く、二回目の「１」は長くタッチする。この時、添え字表示の「−」は長く押してくださいという意味である。
【００６９】
入力しようとする入力キーに該当する固有マッチング番号を数字板１４で長く押す方法は例えば、文字とこれに該当する固有マッチング番号をすべて覚えて数字だけでも文章を入力できるものであって、熟達すれば文字板１２を閉まってさらに広い画面で自分が入力しようとする内容（日本語、中国語、記号など）を見ながら数字だけをタッチして入力することができる。すなわち、ユーザーが文字板１２に構成された日本語キーボード１２ａおよび中国語キーボード１２ｂに表示された固有マッチング番号をすべて覚えていれば、図１のメイン画面１０で別途の操作をすることなく固有マッチング番号をタッチして、一つの画面で日本語および中国語の文字はもちろん、記号などの特殊文字を同時入力することができる。
【００７０】
一例として、図１〜図６のような日本語キーボード１２ａで、「学校」、「ハンディキャップ（ｈａｎｄｉｃａｐ）」に該当する単語を入力したり、「リチャドゥはわたしのともだちです」に該当する文章を入力する方法は次の通りである。
【００７１】
「学校」の単語を入力する場合、日本語キーボード１２ａの文字板１２や数字板１４に選択的に該当文字および数字をタッチして単語を形成することができる。
【００７２】
すなわち、「が」はａ／段に該当する第１画面切り替えキー３０をタッチした後、第１設定入力キー３２で文字を探してタッチするか指定された該当固有マッチング番号「５１」と「３１」の数字を数字板１４で連続的にタッチすればよい。
【００７３】
「っ」（促音）はｕ／段に該当する第３画面切り替えキー５０をタッチした後、第１設定入力キー５２で文字を探してタッチするか指定された該当固有マッチング番号「５３」と「４４」の数字を数字板１４で連続的にタッチすればよい。
【００７４】
「こ」はｏ／段に該当する第５画面切り替えキー７０をタッチした後、第１設定入力キー５２で文字を探してタッチするか指定された該当固有マッチング番号「５５」と「２１」の数字を数字板１４で連続的にタッチすればよい。
【００７５】
「う」はｕ／段に該当する第３画面切り替えキー５０をタッチした後、第１設定入力キー５２で文字を探してタッチするか指定された該当固有マッチング番号「５３」と「１１」の数字を数字板１４で連続的にタッチすればよい。
【００７６】
数字板１４で「がっこう」に指定された該当固有マッチング番号を覚えて、「５１３１（が）５３４４（っ）５５２１（こ）５３１１（う）」の順に数字だけをタッチして入力する場合、文字板１２で第１〜第５画面切り替えキー３０、４０、５０、６０、７０で画面を切り替えてからそれぞれ第１設定入力キー３２、４２、５２、６２、７２に進入して該当文字を一つずつ探して入力する必要がない。
【００７７】
「ハンディキャップ（ｈａｎｄｉｃａｐ）」の単語を入力する場合、日本語キーボード１２ａの文字板１２や数字板１４に選択的に該当文字および数字をタッチして単語を形成することができる。
【００７８】
すなわち、「ハ」はａ／段に該当する第１画面切り替えキー３０をタッチした後、第１設定入力キー３２で文字を探してタッチするか指定された該当固有マッチング番号「５１」と「１３−」の数字を数字板１４で連続的にタッチすればよい。
【００７９】
「ン」はｉ／段に該当する第２画面切り替えキー４０をタッチした後、第１設定入力キー４２で文字を探してタッチするか指定された該当固有マッチング番号「５２」と「４４−」の数字を数字板１４で連続的にタッチすればよい。
【００８０】
「デ」はｅ／段に該当する第４画面切り替えキー６０をタッチした後、第１設定入力キー６２で文字を探してタッチするか指定された該当固有マッチング番号「５４」と「４２−」の数字を数字板１４で連続的にタッチすればよい。
【００８１】
「ィ」はｉ／段に該当する第２画面切り替えキー４０をタッチした後、第１設定入力キー４２で文字を探してタッチするか指定された該当固有マッチング番号「５２」と「１５−」の数字を数字板１４で連続的にタッチすればよい。
【００８２】
「キ」はｉ／段に該当する第２画面切り替えキー４０をタッチした後、第１設定入力キー４２で文字を探してタッチするか指定された該当固有マッチング番号「５２」と「２１−」の数字を数字板１４で連続的にタッチすればよい。
【００８３】
「ャ」はｉ／段に該当する第２画面切り替えキー４０をタッチした後、第１設定入力キー４２で文字を探してタッチするか指定された該当固有マッチング番号「５２」と「２５−」の数字を数字板１４で連続的にタッチすればよい。
【００８４】
「ッ」はｕ／段に該当する第３画面切り替えキー５０をタッチした後、第１設定入力キー５２で文字を探してタッチするか指定された該当固有マッチング番号「５３」と「４４−」の数字を数字板１４で連続的にタッチすればよい。
【００８５】
「プ」はｕ／段に該当する第３画面切り替えキー５０をタッチした後、第１設定入力キー５２で文字を探してタッチするか指定された該当固有マッチング番号「５３」と「３３−」の数字を数字板１４で連続的にタッチすればよい。
【００８６】
ここで、数字板１４で「ハンディキャップ」に指定された該当固有マッチング番号を覚えて、「５１１３−（ハ）５２４４−（ン）５４４２−（デ）５２１５−（ィ）５２２１−（キ）５２２５−（ャ）５３４４−（ッ）５３３３−（プ）」の順に数字だけをタッチして入力する場合、文字板１２で第１〜第５画面切り替えキー３０、４０、５０、６０、７０で画面を切り替えてからそれぞれ第１設定入力キー３２、４２、５２、６２、７２に進入して該当文字を一つずつ探して入力する必要がない。
【００８７】
「リチャドゥはわたしのともだちです」の文章を入力する場合、日本語キーボード１２ａの文字板１２や数字板１４に選択的に該当文字および数字をタッチして単語を形成することができる。
【００８８】
すなわち、日本語キーボード１２ａの文字板１２で第１〜第５画面切り替えキー３０、４０、５０、６０、７０で画面を切り替えてから、それぞれ第１設定入力キー３２、４２、５２、６２、７２に進入して該当文字を探し、「リチャドゥはわたしのともだちです」に入力するか、数字板１４で「５２２４−（リ）５２３２−（チ）５２２５−（ャ）５５４２−（ド）５３１５−（ゥ）」を入力した後、継続して「５１１３（は）５１３４（わ）５１３２（た）５２１２（し）５５４１（の）５５３２（と）５５４３（も）５１４２（だ）５２３２（ち）５４４２（で）５３１２（す）」をタッチすればよい。
【００８９】
一方、図７のような中国語キーボード１２ｂで「北京」に該当する単語を入力するためには、中国語キーボード１２ｂの文字板１２や数字板１４に選択的に該当文字および数字をタッチして単語を形成することができる。
【００９０】
すなわち、中国語キーボード１２ｂの文字板１２で入力する場合、「ｂ  ｅｉ  ｊ  ｉｎｇ」をタッチする。その後、文字板１２上の文字のうち北京を選択する。特に実際の使用においては、「ｂ  ｊ」だけをタッチしても文字板１２上に現れる文字のうち北京を選択する。
【００９１】
そして、数字板１４で入力する場合、「６６８７−６９９９−」を実行した後、文字板１２上に現れる漢字のうち北京を選択する。特に実際の使用においては、「６６６９」だけをタッチした後北京を選択する。
【００９２】
一方、本発明は前述した実施例にのみ限定されず、本発明の要旨を逸脱しない範囲内で修正および変形実施が可能であり、そのような修正および変形が加えられた技術思想も以下の特許請求の範囲に属するものと解釈されるべきである。
【符号の説明】
【００９３】
１０：メイン画面
１２：文字板
１２ａ：日本語キーボード
１２ｂ：中国語キーボード
１４：数字板
１６：ＢＳキー
１８：Ｅｎｔｅｒキー
２０：ピリオドキー
２２：ｓｅｔキー
２３：声調表示キー
２４：ＳＢキー
２５：ＰＹＣキー
２６：中国語キー
２８：”一番先へ”キー
３０、４０、５０、６０、７０：第１〜第５画面切り替えキー
３２、４２、５２、６２、７２：第１設定入力キー
８０：第２設定入力キー
９０：第３設定入力キー
９２：入力ウインドウ
９４：言語選択キー
９６：取り消しキー
９８：保存キー
【図１】
2020068018.tif 000024
【図２】
2020068018.tif 000025
【図３】
2020068018.tif 000026
【図４】
2020068018.tif 000027
【図５】
2020068018.tif 000028
【図６】
2020068018.tif 000029
【図７】
2020068018.tif 000030